(57)【要約】【課題】無線タグが付与された媒体の位置情報の管理を効率化する。【解決手段】媒体書き込み装置、情報処理装置、タグ情報読み取り装置をネットワークを介して接続する。情報処理装置は、媒体の識別情報を作成する識別情報作成手段、識別情報を媒体書き込み装置へ送付する送付手段、識別情報、媒体の存在する位置の情報と媒体情報を対応付けて管理するデータベース手段を有する。媒体書き込み装置は、情報処理装置から識別情報を受け取る受信手段、識別情報をタグに書き込むタグライト手段を有する。タグ情報読み取り装置は、媒体が読み込み可能な範囲に存在する場合、媒体より識別情報を読み出すタグリード手段と、タグ情報読み取り装置の固有情報と読み出した識別情報を情報処理装置に送付する送付手段を有する。情報処理装置は、受信した識別情報に対応する媒体の存在する位置である固有情報を通知する。【選択図】図２
2005327017.tif 000002
【特許請求の範囲】
【請求項１】
識別情報が格納されたタグが付与された媒体の存在する位置を管理するシステムであって、
前記タグに識別情報を書き込む媒体書き込み装置と、
また前記媒体の存在位置に関する情報管理する情報処理装置、
および前記媒体に格納された情報を読み取る１つ以上のタグ情報読み取り装置がネットワークを介して接続され、
前記情報処理装置は、前記媒体に付与する識別情報を作成する識別情報作成手段と、
作成した識別情報を媒体書き込み装置へ送付する送付手段と、
前記識別情報、前記媒体の存在する位置の情報と媒体情報を対応付けて管理するデータベース手段を有し、
前記媒体書き込み装置は、前記情報処理装置からの識別情報の受け取る受信手段と、
前記識別情報を前記のタグに書き込むタグライト手段を有し、
前記タグ情報読み取り装置は、前記媒体が読み込み可能な範囲に存在する場合、前記媒体より識別情報を読み出すタグリード手段と、
前記タグ情報読み取り装置の有する固有情報と前記タグリード手段が読み出した前記識別情報を前記情報処理装置に送付する送付手段を有し、
前記情報処理装置は、受信した前記識別情報に基づき前記データベース手段に格納された前記識別情報に対応する前記媒体の存在する位置である固有情報を通知することを特徴とする位置管理システム。
【請求項２】
識別情報が格納されたタグが付与された媒体の存在する位置を管理するシステムであって、
前記媒体の存在位置に関する情報管理する情報処理装置、
および前記タグに格納された情報を読み取る１つ以上のタグ情報読み取り装置がネットワークを介して接続され、
前記情報処理装置は、前記識別情報、前記媒体の存在する位置の情報と媒体情報を対応付けて管理するデータベース手段を有し、
前記タグ情報読み取り装置は、前記タグが読み込み可能な範囲に存在する場合、前記タグより識別情報を読み出すタグリード手段と、
前記タグ情報読み取り装置の有する固有情報と前記タグリード手段が読み出した前記識別情報を前記情報処理装置に送付する送付手段を有し、
前記情報処理装置は、受信した前記識別情報に基づき前記データベース手段に格納された前記識別情報に対応する前記媒体の存在する位置である固有情報を通知することを特徴とする位置管理システム。
【請求項３】
前記媒体は被印刷メディアであることを特徴とする請求項１または請求項２記載の位置管理システム。
【請求項４】
前記媒体書き込み装置に印字手段を有することを特徴とする請求項１から請求項３のいずれか１項に記載の位置管理システム。
【請求項５】
印刷時に前記タグの識別情報を生成することを特徴とする請求項１記載の位置管理システム。
【請求項６】
前記データベースに位置を特定するための情報と前記識別情報を通知するとき、位置を特定するための情報として、前記タグリード手段に予め限定された位置情報を通知することを特徴とする請求項１または請求項２記載の位置管理システム。
【請求項７】
前記データベースに前記タグリード手段が持つ識別情報と設置位置情報の対応と管理する第二のデータベースを持ち、前記タグリード手段が通知するための情報として前記タグ読み取り手段の識別情報を通信することを特徴とする請求項１または請求項２記載の位置管理システム。
【請求項８】
識別情報が格納されたタグが付与された媒体の存在する位置を管理する方法であって、
前記タグに識別情報を書き込む媒体書き込み第一ステップと、
また前記媒体の存在位置に関する情報管理する情報処理する第二ステップ、
および前記媒体に格納された情報を読み取る１つ以上のタグ情報読み取りする第三ステップがネットワークを介して接続され、
前記第二ステップは、前記媒体に付与する識別情報を作成する識別情報作成手段と、
作成した識別情報を媒体書き込みする第四ステップへ送付する送付手段と、
前記識別情報、前記媒体の存在する位置の情報と媒体情報を対応付けて管理するデータベース手段を有し、
前記第四ステップは、前記第二ステップからの識別情報の受け取る受信手段と、
前記識別情報を前記のタグに書き込むタグライト手段を有し、
前記第三ステップは、前記媒体が読み込み可能な範囲に存在する場合、前記媒体より識別情報を読み出すタグリード手段と、
前記第三ステップの有する固有情報と前記タグリード手段が読み出した前記識別情報を前記情報機能に送付する送付手段を有し、
前記第二ステップは、受信した前記識別情報に基づき前記データベース手段に格納された前記識別情報に対応する前記媒体の存在する位置である固有情報を通知することを特徴とする位置管理方法。
【請求項９】
識別情報が格納されたタグが付与された媒体の存在する位置を管理する方法であって、
前記媒体の存在位置に関する情報管理する情報処理する第一ステップ、
および前記タグに格納された情報を読み取る１つ以上のタグ情報読み取りする第二ステップがネットワークを介して接続され、
前記第一ステップは、前記識別情報、前記媒体の存在する位置の情報と媒体情報を対応付けて管理するデータベース手段を有し、
前記第二ステップは、前記タグが読み込み可能な範囲に存在する場合、前記タグより識別情報を読み出すタグリード手段と、
前記第二ステップの有する固有情報と前記タグリード手段が読み出した前記識別情報を前記第一ステップに送付する送付手段を有し、
前記第一ステップは、受信した前記識別情報に基づき前記データベース手段に格納された前記識別情報に対応する前記媒体の存在する位置である固有情報を通知することを特徴とする位置管理方法。
【発明の詳細な説明】
【技術分野】
【０００１】
本発明は、物品の位置を管理するシステム及び方法に関するものである。
【背景技術】
【０００２】
従来、流通や物流、在庫管理の効率化のために、商品、商品に添付する書類につけられたバーコードを利用して、商品の位置等を管理するシステムが知られている。このバーコードを利用するシステムでは、バーコードを読み取るために、読み取り装置を正確にバーコードに合わせる必要があるため、通常、人が介在して行う必要があり、効率化に限界があった。
【０００３】
近年、このバーコードの問題の解決を目的として、無線ＩＣタグに注目が集まっている。無線ＩＣタグはバーコードと異なり、情報の記録読み取りの位置合わせの制限が少ないため、人が介在することなく、無線ＩＣタグの情報を読み取ることが容易である。
【０００４】
この無線ＩＣタグ（以下無線タグと記述）の性質を利用したシステムとして、物品管理システムが知られている（例えば、特許文献１参照）。この物品管理システムでは、物品につけられた無線タグの情報を随時読み取ることで物品管理の処理の人手を少なくする物品管理システムを提供している。
【特許文献１】特開２０００−１１３０７７号公報
【発明の開示】
【発明が解決しようとする課題】
【０００５】
物品管理システムでは、管理したい物品に関するデータと物品に付与された無線タグ内の識別情報との対応関係をデータベースに登録しておく必要がある。しかし、特許文献１記載の物品管理システムでは、管理したい物品に関するデータとその物品に付与する無線タグの識別情報をデータベースに登録する工程の自動化に関しては開示されていない。
【０００６】
本発明は、管理したい物品に関するデータと無線タグのデータの対応関係をデータベースに登録する工程を自動化することを可能とすることにより、管理を効率化させた位置管理システム及び方法の提供を目的としており、特に、無線タグが付与された被印刷メディア（たとえば、紙やプラスチック、薄い金属等）の位置情報（ＩＰアドレス、固有の装置名、設置場所情報等）の管理を効率化する位置管理システム及び方法の提供を目的とする。
【課題を解決するための手段】
【０００７】
本発明の位置管理システムは、媒体に付与する識別情報を作成する識別作成手段と、作成した識別情報を媒体書き込み装置へ送付する送付手段と、前記識別情報手段、前記媒体の存在する位置の情報と媒体情報を管理するデータベース手段と、情報処理装置からの識別情報を受け取る受信手段と、タグに書き込むタグライト手段と、媒体より識別情報を読み出すタグリード手段と、固有情報と識別情報を送付する送付手段で構成される位置管理システムにおいて、識別情報と、媒体の存在する位置の情報と、媒体情報とを対応付けてデータベース手段で管理し、タグリード手段で媒体に付与された無線タグに記憶された識別情報を読み出した際、位置を特定するための情報と前記識別情報をデータベース手段に通知することを特徴とする。
【０００８】
これにより、媒体に付与されたタグに書き込まれる識別情報と、媒体の情報を対応付けてデータベース手段で管理し、タグリード手段が媒体に付与された識別情報を読み出した際、位置を特定するための情報と前記識別情報をデータベース手段に通知することを可能とする。
【０００９】
また、媒体に付与されたタグより識別情報を読み出すタグリード手段と、前記識別手段情報、前記媒体の存在する位置の情報と媒体情報を管理するデータベース手段と、情報処理装置からの識別情報を受け取る受信手段と、固有情報と識別情報を送付する送付手段で構成される位置管理システムにおいて、識別情報と、媒体の存在する位置の情報と、媒体情報とを対応付けてデータベース手段で管理し、タグリード手段で媒体に付与された無線タグに記憶された識別情報を読み出した際、位置を特定するための情報と前記識別情報をデータベース手段に通知することを特徴とする。
【００１０】
これにより、媒体に付与されたタグの識別情報と、前記媒体の媒体情報とを対応付けてデータベース手段で管理し、タグリード手段が媒体に付与されたタグに記憶されている識別情報を読み出した際、位置を特定するための情報と前記識別情報をデータベース手段に通知することを可能とする。
【００１１】
また、媒体に被印刷メディアを用いることを特徴とする。これにより、被印刷メディアの位置を管理することが可能になる。
【００１２】
また、媒体書き込み装置に印刷手段を有することを特徴とする。これにより、被印刷メディアに印刷とタグへの書き込みが効率的になることが可能になる。
【００１３】
また、印刷時にタグの識別情報を生成することを特徴とする。これにより、印刷時にタグの識別情報を生成することを可能となる。
【００１４】
また、被印刷メディアに付与されている識別情報を利用することを特徴とする。これにより、非印刷メディアに付与されている識別情報を利用することを可能となる。
【００１５】
また、データベースに位置を特定するための情報と識別情報を通知するとき、位置を特定するための情報に、タグリード手段の位置情報を通知することを特徴とする。これにより、被印刷メディアの位置情報を管理することを可能となる。
【００１６】
また、データベースに位置を特定するための情報と識別情報と通知するとき、タグリード手段が持つ識別情報と設置位置情報の対応と管理する第二のデータベースを持ち、タグリード手段が通知するための情報としてタグ読み取り手段の識別情報を通信することを特徴とする。これにより、被印刷メディアの位置情報を管理することを可能となる。
【００１７】
また、タグに格納する識別情報が数字や英字であることを特徴とする。これにより、タグに格納する識別情報に数字や英字を用いることを可能となる。
【００１８】
また、タグライト手段とタグは非接触で識別情報の書き込みことを特徴とする。これにより、タグライト手段とタグは非接触で認識を行うことを可能となる。
【００１９】
また、タグリード手段とタグは非接触である（ＲＦＩＤ）であることを特徴とする。これにより、タグリード手段とタグは非接触で認識を行うことを可能となる。
【発明の効果】
【００２０】
本発明の位置情報把握システム及び方法によれば、無線タグが付与された被印刷メディア（たとえば、紙やプラスチック、薄い金属等）の位置情報の管理を効率化するという効果がある。
【発明を実施するための最良の形態】
【００２１】
（実施の形態１）
以下に本発明の実施の形態１について、図面を参照しながら説明する。
【００２２】
図１は、本発明の実施の形態におけるシステム全体の構成を示している。図１において、１００は文書ファイルや画像等の印刷元情報から印刷データを作成し、印刷装置に印刷を要求する情報処理装置、２００は情報処理装置１００からの要求により、被印刷メディア４００に前記印刷データの内容を印刷する印刷装置、３００は被印刷メディアに付与された無線タグ内の情報を読み取り、読み取ったデータと読み取りを行った読み取り装置の設置場所を示す情報をデータベース１０３に通知するタグ情報読み取り装置、１０３はタグ情報読み取り装置３００からの通知により被印刷メディアの位置情報を管理するデータベース、４００は、印刷装置２００で印刷された無線タグつきの被印刷メディア、６００は、情報処理装置１００とタグ読み取り装置３００をつなぐネットワーク、５００は、情報処理装置１００と印刷装置２００をつなぐネットワークである。ここで、無線タグは被印刷メディアに物理的に付与されているものとする。
【００２３】
このシステムの概略として、情報処理装置１００から、印刷装置２００へ印刷の要求をする。印刷装置２００では、要求された印刷データの印字を被印刷メディア４００に行う。
【００２４】
次に、被印刷メディア４００に付与されている無線タグに印刷時の要求の中のＩＤを書き込まれる。
【００２５】
さらに被印刷メディアの無線タグの読み取りはタグ情報読み取り装置３００が、被印刷メディア４００のＩＤを自発的にデータベース１０３に登録を行う。
【００２６】
なお、図１では、印刷装置に接続されている情報処理装置１００を一つだけを示したが、一つ以上であってよい。また、情報処理装置１００にネットワークに接続されている印刷装置２００を１つだけを示したが、一つ以上であってもよい。さらに、タグ情報読み取り装置３００を数台だけを示したが、それ以上であってもよいし、１台であってもよい。
【００２７】
情報処理装置１００と印刷装置２００間のネットワーク５００は、無線回線でも有線回線のどちらでもよい。また、タグ情報読み取り装置と情報処理装置間のネットワーク６００も無線回線でも有線回線のどちらでもよい。
【００２８】
図２は、本発明の位置管理システムの処理の流れと装置の仕組みを示す図である。
【００２９】
このシステムは、情報処理装置１００、印刷装置２００、被印刷メディア４００、タグ情報読み取り装置３００からなる。それぞれの装置はネットワークを介して、接続されている。ネットワークは有線回線でも無線回線のどちらでもよい。
【００３０】
データ送信部１０１は、印刷データとＩＤを送信する。
【００３１】
データとＩＤ生成部１０２は、印刷データとそれに対するＩＤを生成する部分である。ここでのＩＤは、無線タグに書き込まれるＩＤ（識別符号）で、被印刷メディアの識別に用いられる。ＩＤの例は、図９に示す数字や文字列より構成される。また、印刷データは、文書ファイルや画像ファイル等の印刷元情報（印刷されるデータ自身など）から作成される印刷用情報（格納先、ファイル名など）である。
【００３２】
データ（印刷元情報や印刷データ）とＩＤ生成部１０２は、印刷元情報又は印刷データ又はその両方と無線タグに書き込まれるＩＤとの対応関係をデータベース１０３に登録する。このとき、データベース１０３に登録される印刷元情報及び印刷データは、その格納先を示す情報でも情報実体そのもののどちらでも良い。
【００３３】
データ受信部２０１は、ユーザが情報処理装置１００から印刷データの要求がした場合、その情報処理装置１００からの印刷データとＩＤのデータを受信する。
【００３４】
タグライト２０２は、データ受信部２０１で受信した印刷データに対するＩＤを印刷時に非接触で被印刷メディアに付与されている無線タグに書き込む。
【００３５】
印刷機能部２０３は、データ受信部２０１で受信した印刷データを被印刷メディアに印字を行う。
【００３６】
タグリード３０１では、被印刷メディアに付加されている無線タグとタグリード３０１が無線で互いに自動認識を行い、無線タグに書き込まれているＩＤを読み込む。
【００３７】
データ送信部３０２では、ＩＤとタグリードの位置情報（タグ情報読み取り装置の位置など）を情報処理装置１００に送信する。
【００３８】
データ受信部１０４では、データ送信部１０１から送信されてきたＩＤと位置情報を受信し、ＩＤと位置情報をデータベースへ受け渡す。
【００３９】
データベース１０３では、印刷データとＩＤ生成時に印刷元情報又は印刷データ又はその両方とＩＤがデータベースに自動登録されており、タグ情報読み取り装置から送られてきた位置情報の登録または更新が自動的に行われる。データベースでの管理構造として、図９に示すように、印刷元情報又は印刷データ又はその両方、印刷紙に付与されたＩＤ、位置情報が管理している。
【００４０】
図３は、本実施の形態に係わるシステムにおいて、情報処理装置１００と印刷装置２００との間で処理を行う場合の処理動作を示す図である。以下に図３を参照しながら、その処理動作について説明する。
【００４１】
まず、印刷する要求が情報処理装置１００で起こり（Ｓ２０１）、その要求に付加するＩＤと印刷データを作成する（Ｓ２０２）。
【００４２】
生成されたＩＤと印刷データをデータベースに登録を行う（Ｓ２０３）。
【００４３】
印刷データとＩＤを送信する（Ｓ２０４）。
【００４４】
印刷装置２００で印刷データとＩＤを受信する（Ｓ２０５）。
【００４５】
データ受信した印刷データとＩＤから、ＩＤを取得し、ＩＤを無線タグに書き込む（Ｓ２０６）。
【００４６】
印刷データを印刷紙に印字を行う（Ｓ２０７）。
【００４７】
印字した紙を出力する（Ｓ２０８）。
【００４８】
図４は、本実施の形態に係わるシステムにおいて、情報処理装置１００とタグ情報読み取り装置３００との間で処理を行う場合の処理動作を示す図である。以下に図４を参照しながら、システム全体の動作について説明する。
【００４９】
まず、近くに無線タグが付与された被印刷メディアがあり、その無線タグとタグリード装置が自動認識を行い無線タグに書き込まれているＩＤ情報を取得する（Ｓ２０９）。
【００５０】
ＩＤと位置情報を情報処理装置１００に送信をする（Ｓ２１０）。
【００５１】
タグ情報読み取り装置３００から情報処理装置１００へ送信されてきたＩＤ情報と位置情報の受信を行う（Ｓ２１１）。
【００５２】
登録しているＩＤと被印刷メディアに関するデータに位置情報の登録を行う。もし、位置情報が登録していている場合、位置情報の更新を行う（Ｓ２１２）。
【００５３】
なお、図２でのＩＤ生成に関して、情報処理装置１００でＩＤが作成されると書いてあるが、印刷装置でもＩＤ生成をしても良い。
【００５４】
図５は印刷装置でＩＤ生成を行う場合のシステムの処理の流れと装置の仕組みを示す。
【００５５】
ＩＤ生成部２０５で印刷データに対するＩＤ生成を行い、データ送受信部２０４でＩＤを送信し、データ送受信部１０５で受信を行う。次に、そのＩＤをデータベースに登録を行う。
【００５６】
なお、本実施の形態では無線タグの読み取りはタグ情報読み取り装置３００が自発的に行いデータベース１０３に登録されるとしたが、データベース側から検索要求を送信し、その検索要求を受信したタグ情報読み取り装置３００が特定のＩＤが格納された無線タグを探し、見つけた場合に情報をデータベースに通知するようにしても良い。
【００５７】
（実施の形態２）
以下に本発明の実施の形態２について、図面を参照しながら説明する。
【００５８】
図１は、本発明の実施の形態におけるシステム全体の構成を示している。
【００５９】
実施の形態１では、ＩＤ生成を行い、被印刷メディアに付与されている無線タグのＩＤを読み込む実施の形態を示したが、本実施の形態ではＩＤ生成を行わず被印刷メディアに付与されている無線タグのＩＤを読み込んで使用する実施の形態を示す。
【００６０】
図７は、本発明の位置管理システムの処理の流れと装置の仕組みを示す図である。
【００６１】
データ送受信部１０５は、印刷データ送信をし、タグリード２０６で読み取った無線タグのＩＤの受信を行い、ＩＤをデータベースに自動登録を行う。
【００６２】
データ生成部１０６は、印刷データを作成し、印刷元情報又は印刷データ又はその両方をデータベースに自動登録を行う。例えば、図９に示している印刷データ内容を登録される。
【００６３】
データ送受信部２０４は、情報処理装置１００から印刷データの要求がある場合、その情報処理装置１００からの印刷データを受信する。もしくは、タグリードからＩＤ読み込んだ場合、ＩＤをデータベースに送信する。
【００６４】
タグリード２０６は、データ送受信部２０４で受信した印刷データに対するＩＤを被印刷メディアに付与されている無線タグから自動的に読み込みを行う。
【００６５】
印刷機能部２０３は、データ送受信部２０４で受信した印刷データを被印刷メディアに印字を行う。
【００６６】
タグリード３０１では、被印刷メディアに付加されている無線タグとタグリード３０１が無線でお互いに自動認識を行い、無線タグに書き込まれているＩＤを読み込む。
【００６７】
データ送信部３０２は、タグリード３０１で読み込まれたＩＤとタグリード情報読み取り装置の位置情報とＩＤを情報処理装置１００へ送信する。
【００６８】
データ受信部１０４では、データ送信部３０２から送信されてきたデータを受信する。
【００６９】
データベース１０３では、印刷データとＩＤ生成時に印刷元情報又は印刷データ又はその両方とＩＤがデータベースに自動登録されており、タグ情報読み取り装置から送られてきた位置情報の登録または更新が自動的に行われる。データベースでの管理構造として、図９に示すように、印刷データ内容、印刷紙に付与されたＩＤ、位置情報が管理している。
【００７０】
図８は、本実施の形態に係わるシステムにおいて、情報処理装置１００と印刷装置２００との間で処理を行う場合の動作を示す図である。以下に図８を参照しながら、その処理動作について説明する。
【００７１】
まず、印刷する要求が情報処理装置１００で起こり（Ｓ３０１）、その要求に付加するＩＤとデータを作成する（Ｓ３０２）。
【００７２】
生成された印刷データをデータベースに登録を行う（Ｓ３０３）。
【００７３】
印刷データを送信する（Ｓ３０４）。
【００７４】
印刷装置２００で印刷データを受信する（Ｓ３０５）。
【００７５】
印刷する被印刷メディアに付与されている無線タグから印刷データに対するＩＤを読み込む（Ｓ３０６）。
【００７６】
無線タグから読み込んだＩＤをデータベースに登録しに送信する（Ｓ３０７）。
【００７７】
印刷装置からＩＤの受信を行う（Ｓ３０８）。
【００７８】
受信したＩＤをデータベースに登録する（Ｓ３０９）。
【００７９】
被印刷メディアに印字を行う（Ｓ３１０）。
【００８０】
印字を終了したら、出力を行う（Ｓ３１１）。
【００８１】
そして、本実施の形態に係わるシステムにおいて、情報処理装置１００とタグ情報読み取り装置３００との間での処理については、図４と同じなので省略する。
【産業上の利用可能性】
【００８２】
本発明にかかる位置管理システム及び方法は、印刷を実行するたけで被印刷物の位置が管理されるので、文書ファイル名やファイル内容を用いて検索することで被印刷物の位置を確認することが可能となり、無線タグを付与した媒体の位置管理等として有用である。
【図面の簡単な説明】
【００８３】
【図１】本発明の実施の形態におけるシステム構成を示した図
【図２】本発明の実施の形態１における情報処理装置でＩＤ生成をした場合のシステムの処理動作を示した図
【図３】本発明の実施の形態１における情報処理装置と印刷装置との間で処理を行う場合の動作を示す図
【図４】本発明の実施の形態１におけるタグ情報読み取り装置と情報処理装置との間で処理を行う場合の動作を示す図
【図５】本発明の実施の形態１における印刷装置でＩＤを生成した場合のシステムの処理動作を示した図
【図６】本発明の実施の形態１における情報処理装置と印刷装置との間で処理を行う場合の動作を示す図
【図７】本発明の実施の形態２におけるＩＤを読み込む場合のシステムの処理動作を示した図
【図８】本発明の実施の形態２における図５での情報処理装置と印刷装置との間で処理を行う場合の動作を示す図
【図９】本発明の実施の形態１におけるデータベースでの管理構造を示した図
【図１０】従来の実施の形態に係る物品管理システムの構成図
【符号の説明】
【００８４】
１００    情報処理装置
１０１    データ送信部
１０２    データとＩＤ生成部
１０３    データベース
１０４    データ受信部
１０５    データ送受信部
１０６    データ生成部
２００    印刷装置
２０１    データ受信部
２０２    タグライト
２０３    印刷機能部
２０４    データ送受信部
２０５    ＩＤ生成部
２０６    タグリード
３００    タグ情報読み取り装置
３０１    タグリード
３０２    データ送信部
４００    被印刷メディア
５００    ネットワーク
６００    ネットワーク
【図１】
2005327017.tif 000003
【図２】
2005327017.tif 000004
【図３】
2005327017.tif 000005
【図４】
2005327017.tif 000006
【図５】
2005327017.tif 000007
【図６】
2005327017.tif 000008
【図７】
2005327017.tif 000009
【図８】
2005327017.tif 000010
【図９】
2005327017.tif 000011
【図１０】
2005327017.tif 000012